(57)【要約】【課題】広い測距視野を配置しながら、合焦時間の短縮および合焦精度の向上が可能な焦点検出装置を提供する。【解決手段】本発明の焦点検出装置は、位相差検出方式により焦点検出を行う第一の焦点検出手段と、コントラスト検出方式により焦点検出を行う第二の焦点検出手段と、前記第一の焦点検出手段の測距視野と撮影レンズを通過する光束との位置関係に応じて発生するケラレ量を、該第一の焦点検出手段からの２像の出力値を用いて検出するケラレ検出手段と、前記ケラレ検出手段により検出された前記ケラレ量が所定値より小さい場合には前記第一の焦点検出手段で焦点検出を行い、該ケラレ量が該所定値以上である場合には前記第二の焦点検出手段で焦点検出を行って前記撮影レンズの合焦動作を行うように制御する制御手段とを有する。【選択図】図１
2011242666.tif 000002
【特許請求の範囲】
【請求項１】
位相差検出方式により焦点検出を行う第一の焦点検出手段と、
コントラスト検出方式により焦点検出を行う第二の焦点検出手段と、
前記第一の焦点検出手段の測距視野と撮影レンズを通過する光束との位置関係に応じて発生するケラレ量を、該第一の焦点検出手段からの２像の出力値を用いて検出するケラレ検出手段と、
前記ケラレ検出手段により検出された前記ケラレ量が所定値より小さい場合には前記第一の焦点検出手段で焦点検出を行い、該ケラレ量が該所定値以上である場合には前記第二の焦点検出手段で焦点検出を行って前記撮影レンズの合焦動作を行うように制御する制御手段と、を有することを特徴とする焦点検出装置。
【請求項２】
被写界内での被写体の位置を検出する被写体位置検出手段と、
前記被写界内の複数の測距視野の中から第一の測距視野を選択する測距視野選択手段と、を更に有し、
前記制御手段は、前記第一の測距視野におけるケラレ量が前記所定値以上である場合において、前記被写体位置検出手段により該第一の測距視野および該第一の測距視野に隣接して該第一の測距視野の像高以下である第二の測距視野にて同一の被写体が検出されており、かつ、該第二の測距視野のケラレ量が第二の所定値より小さいとき、該第二の測距視野における前記第一の焦点検出手段による焦点検出と、該第一の測距視野における前記第二の焦点検出手段による焦点検出とを組み合わせて前記撮影レンズの前記合焦動作を行うことを特徴とする請求項１に記載の焦点検出装置。
【請求項３】
前記ケラレ検出手段は、前記第一の焦点検出手段からの前記２像の出力値の相関演算により得られる一致度に基づいて前記ケラレ量を検出することを特徴とする請求項１または２に記載の焦点検出装置。
【請求項４】
前記ケラレ検出手段は、前記第一の焦点検出手段からの前記２像の出力値の面積比に基づいて前記ケラレ量を検出することを特徴とする請求項１または２に記載の焦点検出装置。
【請求項５】
前記被写体位置検出手段は、前記被写界内の複数の色の光強度分布から前記被写体の色を認識し、該被写体の位置を検出することを特徴とする請求項２に記載の焦点検出装置。
【発明の詳細な説明】
【技術分野】
【０００１】
本発明は、撮影レンズを着脱可能な撮像装置に搭載される焦点検出装置に関する。
【背景技術】
【０００２】
従来から、カメラ用の焦点検出装置として、ＴＴＬ（Ｔｈｒｏｕｇｈ  Ｔｈｅ  Ｌｅｎｓ）位相差検出方式の焦点検出装置が用いられている。ＴＴＬ位相差検出方式（位相差検出方式）とは、撮影レンズの瞳の異なる部分を通過した二光束を用いて物体像をそれぞれ形成し、二つの物体像間の位置の位相を検出して、これを撮影レンズのデフォーカス量に換算する方式である。
【０００３】
しかし位相差検出方式では、焦点検出光束の一部に撮影レンズによるケラレが生じると、焦点検出精度が低下する。このため、ケラレが生じないように、特許文献１では、測距光束のケラレ状態に応じて焦点検出光学系の絞りやフィールドレンズの切換えを行ってケラレ対策を行う自動焦点検出装置が開示されている。特許文献２では、撮影レンズのＦナンバーに応じて、測距視野の設定条件からケラレが発生する測距視野を予め動作させないように制御する自動焦点検出装置が開示されている。また特許文献３には、位相差検出方式による焦点検出とコントラスト検出方式による焦点検出を切換えを行い、合焦精度の向上や合焦時間の短縮を図る焦点検出装置が開示されている。
【先行技術文献】
【特許文献】
【０００４】
【特許文献１】特開昭６０−８６５１７号公報
【特許文献２】特開平１１−１４２７２４号公報
【特許文献３】特開２００３−２９１３５号公報
【発明の概要】
【発明が解決しようとする課題】
【０００５】
しかしながら、特許文献１では、測距視野の配置をＦナンバーの明るい撮影レンズに合わせて広く配置（広視野化）することができない場合がある。特許文献２では、使用可能な測距視野が画面中心付近に限定され、観察者が自由に画面内の測距視野を選択できない場合がある。特許文献３では、ケラレが発生していない場合でも位相差検出方式からコントラスト検出方式への切換えが実施されてしまい、合焦時間が短縮できない場合がある。また、コントラスト値が高い被写体でケラレが発生している場合、低コントラストとは認識されない可能性がある。
【０００６】
本発明は、広い測距視野を配置しながら、合焦時間の短縮および合焦精度の向上が可能な焦点検出装置を提供する。
【課題を解決するための手段】
【０００７】
本発明の一側面としての焦点検出装置は、位相差検出方式により焦点検出を行う第一の焦点検出手段と、コントラスト検出方式により焦点検出を行う第二の焦点検出手段と、前記第一の焦点検出手段の測距視野と撮影レンズを通過する光束との位置関係に応じて発生するケラレ量を、該第一の焦点検出手段からの２像の出力値を用いて検出するケラレ検出手段と、前記ケラレ検出手段により検出された前記ケラレ量が所定値より小さい場合には前記第一の焦点検出手段で焦点検出を行い、該ケラレ量が該所定値以上である場合には前記第二の焦点検出手段で焦点検出を行って前記撮影レンズの合焦動作を行うように制御する制御手段とを有する。
【０００８】
本発明の他の目的及び特徴は、以下の実施例において説明される。
【発明の効果】
【０００９】
本発明によれば、広い測距視野を配置しながら、合焦時間の短縮および合焦精度の向上が可能な焦点検出装置を提供することができる。
【図面の簡単な説明】
【００１０】
【図１】本実施例における焦点検出装置を内蔵した撮像装置の概略構成図である。
【図２】本実施例において、撮影レンズと位相差焦点検出装置をストレートに展開した上面図である。
【図３】本実施例において、（ａ）視野マスクを撮影レンズから光軸の方向に見た平面図、（ｂ）絞りを視野マスク側から見た平面図、（ｃ）受光素子を視野マスク側から見た平面図、（ｄ）受光素子の各受光素子列を視野マスク上に逆投影した図、（ｅ）ファインダー視野内の図である。
【図４】本実施例において、（ａ）撮影レンズを通る光束の一形態を示す図、（ｂ）撮影レンズ絞り上への各部材の投影図の一形態を示す図である。
【図５】本実施例において、（ａ）撮影レンズを通る光束の一形態を示す図、（ｂ）撮影レンズ絞り上への各部材の投影図の一形態を示す図である。
【図６】本実施例において、輝度が一様な被写体に対するケラレの様子を示す図である。
【図７】光学部材の分光特性の一例を示す図である。
【図８】本実施例において、（ａ）ファインダー視野内撮影範囲と測距視野位置を示す図、（ｂ）ファインダー視野内撮影範囲と測距視野位置を示す図である。
【図９】本実施例において、（ａ）第一のモードの場合に選択可能な測距視野を示す図、（ｂ）第二のモードの場合に選択可能な測距視野を示す図である。
【図１０】本実施例における焦点検出動作を示すフローチャートである。
【発明を実施するための形態】
【００１１】
以下、本発明の実施例について、図面を参照しながら詳細に説明する。各図において、同一の部材については同一の参照番号を付し、重複する説明は省略する。
【００１２】
まず、本実施例における焦点検出装置を搭載した撮像装置について説明する。図１は、本実施例における撮像装置の概略構成図である。本実施例では、焦点検出装置を搭載した撮像装置として、レンズ交換可能な一眼レフタイプのデジタルカメラについて説明するが、これに限定されるものではない。
【００１３】
図１において、１００は一眼レフカメラ本体、１０１は撮影レンズ、１０２は撮影レンズ１０１の光軸である。撮影レンズ１０１の予定結像面付近には、光学ローパスフィルタや赤外カットフィルタ、さらには撮像素子を含む撮像素子ユニット１０３が配置される。撮影レンズ１０１と撮像素子ユニット１０３との間には、周知のクイックリターン機構により撮影及びコントラスト検出方式の焦点検出時には撮影光束外へ退避するメインミラー１０４およびサブミラー１０５が配置される。メインミラー１０４はハーフミラーであり、撮影光束は上方のファインダー光学系に導かれる反射光と、サブミラー１０５に入射する透過光に分離される。反射光は、マット面とフレネル面を供えるピント板１０６のマット面上に結像し、ペンタプリズム１０７、光学部材１０８、および、接眼レンズ群１０９を介して、観察者の目に導かれる。１１１はペンタプリズム１０７からの光で被写体位置の認識を行う測光装置（被写体位置検出手段）であり、１１２は光学部材１０８を介してファインダー視野内に画像の表示を行うファインダー内画像表示装置である。
【００１４】
一方、メインミラー１０４の透過光は、サブミラー１０５により下方へ光路を反射させ、第一の焦点検出手段である位相差焦点検出装置１１０に導かれる。位相差焦点検出装置１１０は、位相差検出方式により焦点検出を行うように構成されている。位相差焦点検出装置１１０の具体的構成については後述するが、受光素子制御部１１６からの信号によって被写体からの光の蓄積を行って、像信号を出力する。
【００１５】
相関演算部１１７（ケラレ検出手段）は、像信号の出力に基づいて相関演算を行い、ケラレ状態（ケラレ量）を判定する。すなわち相関演算部１１７は、位相差焦点検出装置１１０の測距視野と撮影レンズ１０１を通過する光束との位置関係に応じて発生するケラレ量を、位相差焦点検出装置１１０からの２像の出力値を用いて検出する。例えば、相関演算部１１７は、位相差焦点検出装置１１０からの２像の出力値の相関演算により得られる一致度に基づいてケラレ量を検出するように構成される。また、相関演算部１１７は、位相差焦点検出装置１１０からの２像の出力値の面積比に基づいてケラレ量を検出するように構成してもよい。これらの詳細については後述する。
【００１６】
前述のクイックリターン機構により、メインミラー１０４とサブミラー１０５が退避して撮影レンズ１０１からの光束が撮像素子ユニット１０３に導かれると、撮像素子ユニット１０３内の撮像素子は、光束を光電変換して電気信号を出力する。この出力された電気信号は、増幅されてデジタル映像信号（撮像信号）としてカメラＣＰＵ１１３に出力される。カメラＣＰＵ１１３は、撮像信号を用いて動画像または静止画像を形成し、表示部１１９に表示する。また、デジタル化された撮像信号は、カメラＣＰＵ１１３への出力とは別に、第二の焦点検出手段にも用いられる。第二の焦点検出手段は、高周波信号抽出部１１４と信号評価部１１５を備えて構成され、周知のコントラスト検出方式により焦点検出を行うように構成されている。高周波信号抽出部１１４は、撮像信号の一画面分の画像データに含まれる高周波成分を抽出する。信号評価部１１５は、高周波信号抽出部１１４で抽出された信号を評価して、焦点検出を行う。
【００１７】
１１８はピント制御部（制御手段）である。ピント制御部１１８は、第一の焦点検出手段の検出結果である相関演算部１１７の出力信号、または、第二の焦点検出手段の結果である信号評価部１１５の出力信号に基づいて、レンズ駆動制御部１２０へピント制御信号を送り撮影レンズ１０１を駆動する。具体的には、後述のように、ピント制御部１１８は、ケラレ検出手段である相関演算部１１７により検出されたケラレ量が所定値Ｌ１より小さい場合には第一の焦点検出手段で焦点検出を行って撮影レンズ１０１の合焦動作を行うように制御する。またピント制御部１１８は、ケラレ量が所定値以上である場合には第二の焦点検出手段で焦点検出を行って撮影レンズ１０１の合焦動作を行うように制御する。１２２はレリーズＳＷであり、第一ストローク操作（半押し動作）されると、焦点検出が開始される。
【００１８】
なお、光学部材１０８とファインダー内画像表示装置１１２は、測距視野位置表示手段であり、例えば特開２００５−１１５１５８号公報に開示されているような公知の手法が用いることができる。この手法では、図７に示されるように、狭い波長帯域の特定波長（赤色λＲ、緑色λＧ、青色λＢ）を選択的に反射させ、他の波長を透過させる分光特性を有した光学部材１０８（例えば積層型ホログラム）が用いられる。このような光学部材１０８を用いて、ファインダー内画像表示装置１１２からの入射光の中で特定波長を観察者に向けて反射させ、ファインダー内にＲＧＢのカラー画像を表示する。したがって、本実施例において測距視野位置表示手段を用いると、第一の焦点検出手段による焦点検出時には、ペンタプリズム１０７からの透過光とファインダー内画像表示装置１１２からの反射光を重ねて表示することができる。このため、観察者に対して測距視野位置の表示を行うことが可能となる。また、ライブビュー及び第二の焦点検出手段による焦点検出時には、電子ビューファインダー（ＥＶＦ）として機能し、観察者に被写体像と測距視野位置を表示することが可能となる。
【００１９】
測光装置１１１は被写体位置検出手段であり、例えば特開平０５−２３２３７４号公報に開示されているような、ペンタプリズム１０７を通った光を測光装置１１１にて受光し、被写界における複数の色成分ごとの強度分布が得る公知の手法を用いることができる。具体的には、測光装置１１１は、接眼レンズ群１０９の光軸からわずかにずれた別の光軸に配置された測光用レンズと、この光軸に交差する位置に配置されたイメージセンサー有する。測光装置１１１は、測光用レンズによりイメージセンサー上にピント板１０６上の像を結像するように構成されている。また、イメージセンサーはｎ×ｍ個の素子から形成されている。各素子は更に３つに分割されており、それぞれに赤色（Ｒ）成分、緑色（Ｇ）成分、青色（Ｂ）成分を選択的に透過させるフィルタが設けられている。イメージセンサーの各素子は、ピント板１０６上の像のそれぞれに対応した微小領域における光量をそれぞれの色成分ごとに測定し、色成分ごとの強度を出力するように構成されている。観察者に選択された第一の測距視野において撮影レンズ１０１に所定値以上のケラレが生じた場合、測光装置１１１は、第一の測距視野における各色成分と、第一の測距視野に隣接し第一の測距視野以下の像高に位置する第二の測距視野における各色成分を検出する。これらの色成分が同一の場合、第二の測距視野において、第一の焦点検出手段による焦点検出を実施する。一方、第二の測距視野に発生しているケラレが所定値以下の場合、撮影レンズ１０１を駆動し、その後、選択された第一の測距視野において第二の焦点検出手段による焦点検出を行う。このように本実施例によれば、測光装置１１１とケラレ検出手段（相関演算部１１７）を用いることで、焦点検出時間の短縮と精度の向上を図ることが可能となる。
【００２０】
次に、本実施例における位相差焦点検出装置１１０（第一の焦点検出手段）の具体的な構成例について、図２、図３（ａ）〜（ｅ）を参照して説明する。図２は、撮影レンズ１０１と位相差焦点検出装置１１０をストレートに展開した上面図である。図３（ａ）乃至図３（ｄ）は、図２における各部材の平面図である。図３（ａ）は視野マスク２０１を撮影レンズ側１０１側から見た平面図であり、図３（ｂ）は絞り２０３を視野マスク２０１側から見た平面図である。また、図３（ｃ）は受光素子２０６を視野マスク２０１側から見た平面図であり、図３（ｄ）は受光素子２０６の各受光素子列を視野マスク２０１上に逆投影した図である。
【００２１】
位相差焦点検出装置１１０は、実際には小型化のためミラーによる光束の折り返しなどが行われているが、図２では簡略化のため省略している。１０１ａ、１０１ｂ、１０１ｃは撮影レンズ１０１を構成するレンズである。１０１ｄは、撮影レンズ１０１を通る光束の径を調整する撮影レンズ絞りである。１０１ｅ、１０１ｆは、それぞれ、撮影レンズ１０１を保持する前枠部材と後枠部材である。
【００２２】
図２において、２０１は視野マスクであり、図３（ａ）に示されるように、中央部とその左右に開口部２０１ａ、２０１ｂ、２０１ｃを有する。視野マスク２０１は、撮影レンズ１０１の予定結像面、撮像素子ユニット１０３の撮像面と等価な位置近傍に配置されている。２０２はフィールドレンズであり、視野マスク２０１の後方に配置されている。フィールドレンズ２０２は、光学作用を異にする複数のレンズ部２０２ａ、２０２ｂ、２０２ｃから構成されており、各レンズ部は互いに異なるレンズ光軸を有する。またレンズ部２０２ａ、２０２ｂ、２０２ｃは、視野マスク２０１の開口部２０１ａ、２０１ｂ、２０１ｃにそれぞれ対応している。
【００２３】
２０３は複数の開口部を持つ絞りであり、２０４は絞り２０３の複数の開口部に対応するレンズ部を備えた２次結像レンズユニット（再結像レンズ）である。２次結像レンズユニット２０４は、撮影レンズ１０１によって結像された予定結像面上の物体像をその後方に配置された受光素子２０６の受光素子列に再結像する。受光素子２０６は、同一の受光開口を持った多数の画素よりなる複数のセンサ列で構成され、センサ列同士も対をなしている。なお、絞り２０３の直前付近には焦点検出に不要な赤外波長成分を除去する赤外カットフィルタが配置されているが、図２においては省略している。
【００２４】
図３（ｂ）において、絞り２０３はその中央部に対の開口部２０３ａ−１、２０３ａ−２を有する。また絞り２０３は、その周辺部に２組の対の開口部２０３ｂ−１、２０３ｂ−２、および、２０３ｃ−１、２０３ｃ−２をそれぞれ有する。
【００２５】
図２において、２次結像レンズユニット２０４の入射面側には絞り２０３の開口部に対応するプリズム面が形成されている。したがって、絞り２０３と同様に、その中央部には対のプリズム部２０４ａ−１、２０４ａ−２が形成され、その周辺部には２組の対のプリズム部２０４ｂ−１、２０４ｂ−２、および、２０４ｃ−１、２０４ｃ−２がそれぞれ形成されている。
【００２６】
図２において、２次結像レンズユニット２０４の射出面側には上記２次結像レンズユニット２０４の入射面側プリズム部に対応して、球面からなるレンズ部が形成されている。同様に、その中央部には対のレンズ部２０５ａ−１、２０５ａ−２が形成され、その周辺部には２組の対のレンズ部２０５ｂ−１、２０５ｂ−２、および、２０５ｃ−１、２０５ｃ−２がそれぞれ形成されている。
【００２７】
図３（ｃ）は受光素子２０６を視野マスク２０１側から見た平面図である。受光素子２０６には、その中央部に対の受光素子列２０６ａ−１、２０６ａ−２が形成され、その周辺部に２組の対の受光素子列２０６ｂ−１、２０６ｂ−２、および、２０６ｃ−１、２０６ｃ−２がそれぞれ形成されている。
【００２８】
図３（ｄ）は、受光素子２０６の各受光素子列を視野マスク２０１上に逆投影した図である。なお、視野マスク２０１は撮影レンズ１０１の予定結像面付近に配置されるため、図３（ｄ）は予定結像面の図であると考えてもよい。図３（ｄ）において、視野マスク２０１よりひと回り大きな線で示される長方形は、撮影レンズ１０１による撮影範囲２０８（被写界）である。３つの視野マスク開口部内には、受光素子列の逆投影像２０７ａ、２０７ｂ、２０７ｃが形成されている。対の受光素子列は、予定結像面上では一致するため重ねて表示されている。逆投影像２０７ａ、２０７ｂ、２０７ｃは受光素子列であるため、この領域において被写体の光量分布を検出することができる。すなわち、これら逆投影像が測距視野となる。前述した通り、測距視野は図３（ｄ）のように撮影範囲２０８の中央部と軸外２箇所の計３箇所を備え、この測距視野にかかる被写体の焦点検出を行うことができる。
【００２９】
なお、図２および図３の各部材の添え字ａ、ｂ、ｃはそれぞれ対応している。例えば、視野マスク開口部２０１ｂを通過した光束はフィールドレンズ２０２ｂを通過し、対の絞り開口部２０３ｂ−１、２０３ｂ−２を通過することで２つの光束に分離される。そして２つの光束は、それぞれ２次結像レンズユニット２０４の対のプリズム部２０４ｂ−１、２０４ｂ−２に入射して、対のレンズ部２０５ｂ−１、２０５ｂ−２から射出する。これにより、受光素子２０６の対の受光素子列２０６ｂ−１、２０６ｂ−２にそれぞれ、視野マスク開口部２０１ｂに対応した２つの光学像が形成される。また、視野マスク開口部２０１ｂの位置は、予定結像面上での測距視野の位置となる。なお、以上は添え字ｂに関する部分の説明であるが、添え字ａ、ｃについても同様に説明される。
【００３０】
図３（ｅ）は、観察者が接眼レンズ群１０９から覗いたファインダー視野内の図である。図３（ｅ）において、２０９の長方形は撮影レンズ１０１によるファインダー視野内の撮影範囲（被写界）であり、この撮影範囲においてピント板１０６のマット面上に結像される像を見ることができる。２１０ａ〜２１０ｃは測距視野マークであり、図３（ｄ）の視野マスク開口部２０１ａ〜２０１ｃ上の測距視野とそれぞれ対応し、焦点検出が可能な領域である。また、光学部材１０８とファインダー内画像表示装置１１２により構成される測距視野位置表示手段により、図３（ｅ）に示されるような四角い形状の測距視野マーク２１０ａ〜２１０ｃが表示され、観察者に選択した測距視野を知らせることができる。
【００３１】
なお、図２および図３における位相差焦点検出装置１１０の構成例の説明と図４および図５におけるケラレの現象説明においては、簡略化のため図３（ｅ）に示されるファインダー視野内に３箇所の測距視野がある場合について説明している。しかし本実施例中の動作フローでは、ファインダー視野内の測距視野は、後述する図８（ａ）、（ｂ）に示されるような１１箇所の測距視野が設けられている構成とする。
【００３２】
次に、位相差焦点検出装置１１０の受光素子２０６の各受光素子列に到達する光束と撮影レンズ１０１を透過する光束の関係とそのときに発生するケラレの現象について図４乃至図６を用いて説明する。説明を容易にするため、図４（ａ）では、図２の絞り２０３、２次結像レンズユニット２０４、受光素子２０６の中で光軸１０２に対称に配置されている一部のみが示される。図４（ａ）に示されるように、視野マスク２０１と撮影レンズ１０１の光軸１０２との交点を通る光束は、視野レンズ絞り１０１ｄにより決められる。このため、本実施例の位相差焦点検出装置１１０では、絞り２０３の開口部２０３ａ−１、２０３ａ−２が撮影レンズ絞り１０１ｄ上に逆投影された領域を通る光束が受光素子２０６に到達する。
【００３３】
図４（ｂ）は、撮影レンズ絞り１０１ｄ上に、視野マスク２０１と撮影レンズ１０１の光軸１０２との交点から見た各部材の投影像を重ねた図である。３００ａ−１、３００ａ−２はそれぞれ絞り２０３の開口部２０３ａ−１、２０３ａ−２の逆投影像である。３０１は撮影レンズ前枠部材１０１ｅの撮影レンズ１０１ａ、１０１ｂによる、絞り１０１ｄ上への投影像である。３０２は撮影レンズ後枠部材１０１ｆの撮影レンズ１０１ｃによる、絞り１０１ｄ上への投影像である。図４（ｂ）に示されるように、絞り２０３の開口部の逆投影像３００ａ−１、３００ａ−２の全領域が撮影レンズの投影像３０１、３０２及び撮影レンズの絞り１０１ｄの内側にある場合、焦点検出のための測距光束が撮影レンズの各部材によってケラレない。視野マスク２０１と撮影レンズ１０１の光軸１０２との交点を通る光束は、撮影レンズ絞り１０１ｄの径によりケラレの有無が決定されるが、後述する口径食の影響を受けないため、最もケラレが発生しにくい。
【００３４】
図５（ａ）では、図４（ａ）と同様に説明を簡単にするため、図２の絞り２０３、２次結像レンズユニット２０４、受光素子２０６の中で添え字ｂの部分のみが示されている。また図５（ａ）には、視野マスク２０１上の受光素子の逆投影像２０７ｂの撮影レンズ光軸１０２から遠い側の端点を通る光束が示されている。Ｈは、視野マスク２０１上の受光素子の逆投影像２０７ｂの撮影レンズ光軸１０２から遠い側の端点の像高である。図５（ａ）では、２０７ｂの端点を通る光束は、視野レンズ絞り１０１ｄによって決められていない。図中の下側の光束は、撮影レンズ前枠部材１０１ｅ、また、上側の光束は、撮影レンズ後枠部材１０１ｆによって決められている。言い換えると、撮影レンズ絞り１０１ｄを通る光束が、撮影レンズ前枠部材１０１ｅ、後枠部材１０１ｆによって遮られ、口径食が発生している。
【００３５】
図５（ｂ）は、撮影レンズ絞り１０１ｄ上に、２０７ｂの端点から見た各部材の投影像を重ねた図である。絞り２０３の開口部２０３ｂ−１、２０３ｂ−２が、フィールドレンズ２０２及び撮影レンズ１０１ｃによる撮影レンズ絞り１０１ｄ上に逆投影された領域が、絞り逆投影像３００ｂ−１、３００ｂ−２である。３０１は、２０７ｂの端点から見た撮影レンズ前枠部材１０１ｅの投影像である。３０２は、２０７ｂの端点から見た撮影レンズ後枠部材１０１ｆの投影像である。ここでは、図４（ｂ）と異なり、像面上の像高がある位置（２０７ｂの端点）から撮影レンズ絞り１０１ｄ上に各部材を投影している。このため、それぞれの投影像は、撮影レンズ絞り１０１ｄの中心に対して偏心する。図５（ｂ）に示されるように、逆投影像３００ｂ−１の全領域が、撮影レンズ各部材の投影像３０１、３０２及び撮影レンズ絞り１０１ｄの内側にある場合、受光素子列２０６ｃ−１が受光する光束がケラレることはない。しかし、逆投影像３００ｂ−２の一部は、撮影レンズ前枠部材の投影像３０１の外側に存在する（図５（ｂ）中、斜線部）。この斜線部内の領域については、焦点検出に用いる光束にケラレが発生し、受光素子列２０６ｂ−２の出力が低下する。
【００３６】
ある撮影光学系に対する焦点検出に用いる光束のケラレの程度は、撮影レンズ絞り１０１ｄ上の各部材の投影像の偏心量、すなわち、焦点検出領域の像高Ｈによって決まる。つまり、焦点検出領域の像高Ｈが大きければ大きいほど、撮影レンズの口径食による焦点検出に用いる光束のケラレの程度は大きくなる。
【００３７】
図６は、図５（ｂ）のようにケラレが発生した場合に、輝度が一様な被写体に対する受光素子列２０６ｂ−１、２０６ｂ−２の出力である。横軸に各画素を像高が小さい順に配し、縦軸に各画素の出力を示す。一般的に、撮影レンズ１０１、及び焦点検出光学系の周辺減光、受光素子２０６（光学素子）の感度のばらつき等により、被写体の輝度が一様であっても、受光素子２０６の出力は不均一性が生じる。この不均一性に対しては、撮影レンズによる焦点検出に用いる光束のケラレが無い状態で、補正量を算出しカメラ内に記憶することにより光電素子の出力補正、いわゆるシェーディング補正が行われる。図６には、シェーディング補正を行った後の出力が示されている。
【００３８】
図６（ａ）は、受光素子列２０６ｂ−１の出力である。図５（ｂ）では、絞り２０３ｂ−１の逆投影像３００ｂ−１にケラレが発生していない。このため、撮影レンズの周辺光量の低下を補正することにより一定の出力が得られる。図６（ｂ）は、受光素子列２０６ｂ−２の出力である。図５（ｂ）では、絞り２０３ｂ−２の逆投影像３００ｂ−２は、撮影レンズ前枠部材１０１ｅの投影像３０１によりケラレが発生している。このため、撮影レンズの周辺光量の低下を補正しても、焦点検出領域の像高が大きくなるにつれて、出力が低下する。
【００３９】
従来の焦点検出装置（撮像装置）では、位相差検出方式での焦点検出に用いる測距光束に撮影レンズでのケラレが生じないように、様々な撮影レンズに対し、焦点検出装置の絞りの逆投影像を撮影レンズ絞り上で全ての部材の投影像の内側に配置する必要があった。これは、焦点検出領域の像高を小さくすることや、焦点検出装置の絞りの逆投影像の間隔の短縮や、面積の縮小により解決できる。しかし、焦点検出範囲の狭小化、基線長短縮による焦点検出の精度劣化、焦点検出の低輝度被写体に対する精度劣化を招く。一方、本実施例では、位相差検出における測距光束にケラレが発生した場合でも、撮像素子によるコントラスト方式の焦点検出を行える手段を用意することで、ケラレ発生時の焦点検出精度の向上と焦点検出範囲の拡大を行うことが可能となる。
【００４０】
次に、位相差検出方式で用いられる測距光束に対して、撮影レンズによるケラレが発生した場合のケラレ検出手段について説明する。まず、第一のケラレ検出手段は、位相差焦点検出装置１１０の対になっている受光素子列からの出力の相関度を示す関数の最小値からケラレ量を検出する。受光素子２０６を構成する対の受光素子列、例えば受光素子列２０６ｂ−１、２０６ｂ−２の各々の画素数をＮとし、ｉ番目（ｉ＝０、…、Ｎ−１）の受光素子列２０６ｂ−１、２０６ｂ−２からの像信号をそれぞれＡ（ｉ）、Ｂ（ｉ）とする。このとき、以下の式（１）をｋ１≦ｋ≦ｋ２について演算する。
【００４１】
【数１】
2011242666.tif 000003
【００４２】
ここで、Ｍは（Ｍ＝Ｎ−｜ｋ｜−１）で表される演算画素数であり、ｋは相対変移量とよばれ、ｋ１、ｋ２は通常−Ｎ／２、Ｎ／２に設定される。Ｕ（ｋ）は相関量であり、Ｕ（ｋ）が最小の値をとる場合（Ｕｍｉｎ）が相関最高である。一般的に、ケラレが発生していない場合には、Ｕｍｉｎ≒０となる。一方、ケラレが発生した場合には２像の一致度が劣化しＵｍｉｎが大きくなるため、Ｕｍｉｎに基づいてケラレ量を算出することが可能となる。ただし、相関量Ｕ（ｋ）は離散データであるため、実際には、相関演算時の最小値をＵ（ｋ０）として、最小値Ｕｍｉｎは適当な補間をすることで求められる。
【００４３】
例えば、相関演算において最小値Ｕ（ｋ０）の隣接する相関演算値をそれぞれＵ（ｋ０−１）、Ｕ（ｋ０＋１）とする。このとき、Ｕ（ｋ０）とＵ（ｋ０−１）またはＵ（ｋ０＋１）とを結ぶ直線と傾きが等しく符号が異なる２直線で補間した場合、以下の式（２）で表されるように最小値Ｕｍｉｎを求めることができる。
【００４４】
【数２】
2011242666.tif 000004
【００４５】
従って、式（１）、（２）により受光素子列の相関量の最小値Ｕｍｉｎを求め、その相関量Ｕｍｉｎをモニターすることで、ケラレの有無を検出することが可能である。
【００４６】
例えば、第一の焦点検出手段のみによる焦点検出が可能なケラレ量を所定値Ｌ１と設定する。また、第一の焦点検出手段のみの焦点検出では合焦精度が低下するが、第一の焦点検出手段により撮影レンズ駆動方向がわかり、第二の焦点検出と組み合わせることができるケラレ量を所定値Ｌ２と設定する。選択された測距視野の相関量ＵｍｉｎがＵｍｉｎ＜Ｌ１の場合、第一の焦点検出手段による焦点検出を行う。Ｌ１≦Ｕｍｉｎ＜Ｌ２の場合、第一の焦点検出手段と第二の焦点検出手段を組み合わせた焦点検出を行う。また、Ｌ２≦Ｕｍｉｎの場合、第二の焦点検出手段による焦点検出を行う。以上により、本実施例におけるケラレ検出時のケラレ量によって、第一の焦点検出手段と第二の焦点検出手段を切換えることが可能となる。このように、第一のケラレ検出手段は、第一の焦点検出手段からの２像の出力値の相関演算により得られる一致度（式（１）、（２））に基づいてケラレ量を検出する。
【００４７】
次に、第二のケラレ検出手段について説明する。第二のケラレ検出手段は、位相差焦点検出装置１１０の受光素子２０６の出力値の面積比によって検出する。これは、図５（ａ）に示される受光素子２０６ｂ−１、２０６ｂ−２のように受光素子を配置する。また、図５（ｂ）に示されるような撮影レンズによるケラレが発生した場合には、対の受光素子２０６の片側２０６ｂ−２の方からケラレが発生し始め、像の出力値が他の一方の像の出力値に比べて低くなる現象によって検出する。
【００４８】
受光素子２０６を構成する対の受光素子列、例えば受光素子列２０６ｂ−１、２０６ｂ−２の各々の画素数をＮとし、ｉ番目（ｉ＝０、…、Ｎ−１）の受光素子列２０６ｂ−１、２０６ｂ−２からの像信号をそれぞれＡ（ｉ）、Ｂ（ｉ）とする。このとき、以下の式（３）で表されるＶを求める。
【００４９】
【数３】
2011242666.tif 000005
【００５０】
これは、受光素子列からのそれぞれの像信号Ａ（ｉ）とＢ（ｉ）の総和を差によって比べることで、ケラレ量を検出していることなる。これを第一のケラレ検出手段と同様に所定値Ｌ１、Ｌ２を設けて、ケラレの量の大きさによって前記第一の焦点検出手段と前記第二の焦点検出手段を切換えて焦点検出を行うことが可能となる。このように、第二のケラレ検出手段は、第一の焦点検出手段からの２像の出力値の面積比（式（３））に基づいてケラレ量を検出する。
【００５１】
次に、上述の構成による本実施例でのカメラの焦点検出装置の焦点検出動作フローについて、図８（ａ）、（ｂ）、および、図１０を参照して説明する。図８（ａ）、（ｂ）は、観察者から見たファインダー視野内の図であり、ファインダー視野内の撮影範囲２０９と１１箇所の測距視野４００ａ〜４００ｋを示す。図１０は、焦点検出動作フローについてのフローチャートである。
【００５２】
上述のとおり、図８（ａ）、（ｂ）における測距視野は、図２乃至図５を参照して説明した３箇所の測距視野とは異なっているが、各々の測距視野の構成は同様である。したがって、図８（ａ）、（ｂ）の測距視野４００ａ〜４００ｋは、図３（ｄ）の受光素子列の逆投影像２０７ａ〜２０７ｃと同様に、受光素子列が逆投影されており、位相差検出方式による焦点検出が可能な測距視野の領域である。また、測距視野４００ａ〜４００ｋのうち特定の測距視野が測距視野選択手段（不図示）により選択されると、測距視野位置表示手段により、図８（ａ）、（ｂ）に示されるような四角い形状のマークで一つずつ表示され、観察者に選択中の測距視野が知らされる。
【００５３】
図１０のフローチャートは、ケラレの発生の有無に応じて、３つの合焦方法から１つの適切な合焦方法を選択するフローを示す。第一の方法は、位相差検出方式による第一の焦点検出手段でのみの焦点検出を行って撮影レンズを駆動する方法である。第二の方法は、第一の焦点検出手段とコントラスト検出方式による第二の焦点検出手段を組み合わせた焦点検出を行って撮影レンズを駆動する方法である。第三の方法は、第二の焦点検出手段のみによって焦点検出を行って撮影レンズを駆動する方法である。これら３つの合焦方法の詳細は後述するが、第一の焦点検出手段による位相差検出方式と第二の焦点検出手段によるコントラスト検出方式には、一般的に以下に述べるような長所と短所がある。
【００５４】
位相差検出方式による焦点検出方式の長所は、合焦に用いられる受光素子の画素数が数百画素程度であり、撮像素子に比べると圧倒的に少ないためデータの読み出しに時間がかからないことである。また、撮影レンズの被写体に対するピントの方向とズレ量をダイレクトに算出することができる。このため、１回〜数回の演算にてピントを算出し、直接合焦点に撮影レンズを駆動することが可能で、コントラスト検出方式による焦点検出よりも高速に合焦することができる。一方、その短所は、撮像素子とは別の受光素子を用い、また、焦点検出用の光学系を用いてピントを算出するため、受光素子の画素数に依存したズレや焦点検出用光学系のメカ誤差等の様々の誤差を含むことである。このため、撮像結果のピントは、必ずしも正確なものではない。一方、コントラスト検出方式による焦点検出の長所は、撮像素子そのものの出力信号から焦点検出を行うため、合焦結果と実際の撮像した映像のずれが発生しにくく、撮像素子の取り付け誤差等のばらつきによるピントへの影響を打ち消すことができることである。一方その短所は、撮影レンズの被写体に対するピントの方向がわからないため、撮影レンズの駆動範囲が大きくなることである。また、その撮影レンズの駆動時には微小ステップで駆動しながら撮像を行い画像のコントラスト値より焦点ズレを検出するため、撮像タイミングとの関係から位相差検出方式に比べて駆動速度を高めることができない。また、コントラスト値のピークを見つけるために、必ず合焦の位置を行き過ぎる必要がある。このようにコントラスト検出方式では、正確な検出が可能であるが、焦点検出を行って合焦に至るまでに時間がかかる。
【００５５】
したがって、上述した３つの合焦方法は、それぞれ以下のような特徴を有する。まず、第一の焦点検出手段のみで焦点検出し撮影レンズ駆動を行う方法（第一の方法）では、第一と第二の焦点検出手段との組み合わせ、または、第二の焦点検出手段のみによる焦点検出に比べて合焦時間が速い。しかし、測距視野の範囲は、ケラレが発生しない領域に限定されるため、観察者の選択できる測距視野の範囲は狭くなる。
【００５６】
第一の焦点検出手段と第二の焦点検出手段を組み合わせて焦点検出を行う方法（第二の方法）は、観察者の選択した第一の測距視野にケラレが発生した場合に行われる。具体的には第二の方法は、ケラレの割合が所定値以下の場合、または、所定値を超えていても第一の測距視野に隣接しかつ第一の測距視野の像高以下である第二の測距視野が同一の被写体を見ている場合に行われる。このとき、第一の焦点検出手段にて撮影レンズの駆動を行った後、第二の焦点検出手段にて合焦動作を行う。このように本実施例の第二の方法によれば、ケラレが発生した場合でも、合焦精度の向上と合焦時間の短縮を図ることができる。
【００５７】
第二の焦点検出手段でのみ焦点検出を行う方法（第三の方法）は、第一の測距視野にケラレが所定値以上発生し、かつ、第二の測距視野が同一の被写体を見ていない、または、第二の測距視野にケラレが所定値以上発生している場合に行われる。このとき、第一の焦点検出手段による焦点検出が行えないと判断され、第二の焦点検出手段による焦点検出が行われる。第三の方法では、第一の焦点検出手段のみ、または、第一と第二の焦点検出手段の組み合わせにより焦点検出を行う場合に比べて合焦時間は劣る。しかし、ケラレが大きく発生しても合焦精度が高い焦点検出が可能である。
【００５８】
次に、図１０を参照して、本実施例の焦点検出装置（撮像装置）における焦点検出フローを説明する。まずステップ１（図では「Ｓ」と略す）において、観察者は、被写界内での複数の測距視野４００ａ〜４００ｋ（図８（ａ））の中から任意の一つの測距視野（第一の測距視野）、例えば測距視野４００ｃを選択する。この選択は、測距視野選択手段（不図示）である選択スイッチにより実行される。ステップ２において、レリーズＳＷ１２２の第一ストローク操作（以下、ＳＷ１操作という）を行うと、カメラの焦点検出動作が開始される。ステップ３では、測光装置１１１に被写体の測光を行わせ、その結果を取り込み、露光時のシャッタースピードや絞り値、感度等を設定する。ステップ３では、測光装置１１１によって被写体位置の検出も行われる。
具体的には、測光装置１１１は、被写界内の複数の色の光強度分布から被写体の色を認識し、被写体の位置を検出する。ステップ４では、位相差焦点検出装置１１０の受光素子２０６の中で、ステップ１にて選ばれた測距視野４００ｃに対応する対の受光素子列の蓄積を行って像信号を出力する。ステップ５では、像信号の出力から得られた結果に基づき、相関演算部１１７において、上述の相関演算による相関演算値Ｕｍｉｎ１が算出される。
【００５９】
次にステップ６に進み、相関演算部１１７は、相関演算値Ｕｍｉｎ１の算出結果に基づいて、撮影レンズ１０１によるケラレが発生しているか否かを判定する。具体的には、相関演算部１１７は、算出された相関演算値Ｕｍｉｎ１が、Ｕｍｉｎ１＜Ｌ１の条件を満たすか否かを判定する。ケラレが第一の方法による焦点検出に影響のない第一の所定値Ｌ１以下であれば、ケラレが発生していないと判定してステップ７に進む。ステップ７では、ピント制御部１１８からレンズ駆動制御部１２０へ相関演算値Ｕｍｉｎ１に基づいた撮影レンズ駆動信号が送られ、撮影レンズ１０１が第一の焦点検出手段（第一の方法）による合焦動作のために駆動される。撮影レンズ１０１の駆動が終了すると、ステップ８で、ファインダー内画像表示装置１１２（測距視野位置表示装置）と光学部材１０８による測距視野位置表示手段により、第一の焦点検出手段による合焦を行ったことを観察者に知らせる。例えば、図８（ａ）の測距視野４００ｃと同じ四角いマークを赤色に表示させる合焦表示１を行い、第一の方法による焦点検出が終了する。
【００６０】
一方、ステップ６でＵｍｉｎ１＜Ｌ１の条件を満たさない場合、すなわち相関演算部１１７が相関演算値Ｕｍｉｎ１に基づいてケラレが発生していると判定した場合には、ステップ９へ進む。ステップ９では、相関演算部１１７は、ケラレがＬ１≦Ｕｍｉｎ１＜Ｌ２の条件を満たすか否かを判定する。この条件が満たされる場合、ケラレが発生しているものの撮影レンズ１０１の駆動方向が算出可能であると判定され、第二の方法による焦点検出を行うためにステップ１０へ進む。ステップ１０では、クイックリターン機構によりメインミラー１０４、サブミラー１０５の退避が行われる。ステップ１１では、これらの退避と同時にＥＶＦへの切換えが行われ、ファインダー内画像表示装置１１２と光学部材１０８の測距視野位置表示手段によって、観察者に被写界の表示が行われる。次にステップ１２にて、相関演算値Ｕｍｉｎ１に基づいた撮影レンズ駆動信号がピント制御部１１８からレンズ駆動制御部１２０へ送られ、第一の焦点検出手段により撮影レンズ１０１が駆動される。同時に、第二の焦点検出手段によるコントラスト検出が行われ（ステップ１３）、信号評価部１１５によりコントラスト評価値が算出される。ステップ１４において、コントラスト評価値に基づいて撮影レンズ１０１の駆動を継続しながらコントラスト値を評価し続け、合焦動作が行われる。合焦動作が完了すると、ステップ１５において、測距視野４００ｃと同じ四角いマークを青色で表示する（合焦表示２）。これは、第一の焦点検出手段と第二の焦点検出手段の組み合わせ（第二の方法）にて焦点検出が行われたことを観察者に知らせるための表示であり、これにより第二の方法による焦点検出が終了する。
【００６１】
一方、ステップ９において、相関演算部１１７がＬ１≦Ｕｍｉｎ１＜Ｌ２の条件を満たしていないと判定した場合、ステップ１６に進む。ステップ１６では、ステップ３にて被写体位置検出手段である測光装置１１１より得られた被写体位置の情報に基づいて、隣接測距視野が同一被写体であるか否かが判定される。具体的には、測距視野４００ｃに隣接している測距視野で、かつ、測距視野４００ｃより像高が低い測距視野である図８（ａ）の測距視野４００ｄが、測距視野４００ｃと同一被写体を見ているか否かが判定される。図８（ａ）に示されるように、測距視野４００ｃと測距視野４００ｄに人物の同一被写体があり同一被写体を見ていると判定された場合には、ステップ１７に進む。ステップ１７では、測距視野４００ｄの第一の焦点検出手段での受光素子の蓄積が行われ、ステップ１８にて測距視野４００ｄの相関演算値Ｕｍｉｎ２がステップ５と同様に算出される。
【００６２】
ステップ１９において、相関演算値Ｕｍｉｎ２がＵｍｉｎ＜Ｌ２の条件を満たす場合、ステップ１０〜ステップ１５と同様のフローが実施される。この場合、ステップ１２において、測距視野４００ｄにおける第一の焦点検出手段による相関演算値Ｕｍｉｎ２に基づいて、撮影レンズ１０１が駆動される。このように本実施例では、制御手段としてのピント制御部１１８は、測距視野４００ｃ（第一の測距視野）におけるケラレ量が所定値以上（Ｕｍｉｎ１≧Ｌ１）の場合において、以下の条件を満たすか否かを判定する。すなわち、被写体位置検出手段により第一の測距視野およびこれに隣接して第一の測距視野の像高以下である第二の測距視野（測距視野４００ｃ）にて同一の被写体が検出されており、かつ、第二の測距視野のケラレ量が第二の所定値Ｌ２より小さいかを判定する。この条件を満たすとき、制御手段は、第二の測距視野における第一の焦点検出手段による焦点検出と、第一の測距視野における第二の焦点検出手段による焦点検出とを組み合わせて撮影レンズ１０１の合焦動作を行う。
【００６３】
一方、ステップ１６において、測距視野４００ｃと測距視野４００ｄが図８（ｂ）に示されるように同一被写体を見ていない場合、ステップ２０に進む。また、測距視野４００ｃと測距視野４００ｄが図８（ａ）に示されるように同一被写体を見ている場合でも、測距視野４００ｄにケラレが発生し、相関演算値Ｕｍｉｎ２がＵｍｉｎ＜Ｌ２の条件を満たしていない場合には、ステップ１９からステップ２０へ進む。ステップ２０、２１では、ステップ１０、１１と同様に、ミラーの退避とＥＶＦへの切換えがそれぞれ行われる。ステップ２２、ステップ２３では、第二の焦点検出手法手段によるコントラスト検出を行いながら撮影レンズ１０１を駆動をして、コントラスト評価値による合焦動作が実施される。そしてステップ２４において、図８（ｂ）のように四角いマークを緑色で表示する等により、第二の焦点検出手段のみで合焦動作が行われたことを観察者に知らせ（合焦表示３）、第三の方法による焦点検出が終了する。
【００６４】
このように本実施例では、測距視野位置表示手段により、第一の焦点検出手段のみで焦点検出した場合には四角いマークを赤色で表示させる（合焦表示１）。また、第一の焦点検出手段と第二の焦点検出手段の組み合わせで焦点検出した場合には四角いマークを青色で表示させる（合焦表示２）。また、第二の焦点検出手段のみで焦点検出した場合には四角いマークを緑色で表示させる（合焦表示３）このため、焦点検出に用いられた焦点検出手段を観察者に知らせることができる。また、本実施例では色を変えて観察者へ焦点検出手段を知らせているが、四角いマークを十字マークや丸マークに変えて情報を表示するようにしても良い。
【００６５】
また、本実施例では、焦点検出手段の選択を観察者が選択した測距視野位置に応じて自動で切換えているが、これに限定されるものではない。観察者自らが第一の方法、第二の方法、および、第三の方法について、合焦時間を優先するか、または、合焦範囲を優先するか等、撮影用途に応じて不図示の回転ダイヤル等により切換えられるように構成してもよい。これは本実施例における焦点検出手段選択方法となる。
【００６６】
例えば具体的には、前もって撮影レンズ１０１が装着されたときに全測距点にて相関演算を実施し、撮影レンズ１０１によるケラレを検出し、焦点検出手段選択方法によって、観察者が用途に応じて切換え可能な第一のモード〜第三のモードを用意する。
【００６７】
ここで、第一のモードは第一の焦点検出手段にて焦点検出を行う測距視野の範囲を選べるモードであり、例えば、動く被写体など速い焦点検出が必要な場合に選択される。第二のモードは、第一の焦点検出手段のみの焦点検出、または、第一の焦点検出手段と第二の焦点検出手段との組み合わせによる焦点検出のいずれかを用いて焦点検出を行う測距視野の範囲を選べるモードである。第二のモードは、例えば、できるだけ広い範囲で測距視野を選びたいが合焦時間をあまり遅くならないようにしたい場合に有効である。第三のモードは、第二のモードに加えて、第二の焦点検出手段のみで焦点検出を行う測距視野の範囲も選択可能なモードである。第三のモードは、前述した動作フローによる制御と等しい。選択される測距視野の範囲によっては合焦時間が長くなるため、風景や物撮りなどで用いる場合に適している。
【００６８】
例えば、前述の動作フローにおける構成と同様の測距視野を有するカメラ（撮像装置）において、あるＦナンバーの撮影レンズが装着された場合、全測距視野４００ａ〜４００ｋにて位相差検出による相関演算を実施する。その相関演算結果より、ケラレが発生せず第一の焦点検出が可能な測距視野が図９（ａ）における実線の四角いマークで示される測距視野４００ａ、４００ｄ、４００ｅ、４００ｉ、４００ｊであるとする。同様に、ケラレの発生具合により、第一の焦点検出手段のみの焦点検出、または、第一および第二の焦点検出手段の組み合わせによる焦点検出が可能な測距視野を、図９（ｂ）における測距視野４００ａ、４００ｃ〜４００ｆ、４００ｈ〜４００ｋであるとする。残りの測距視野４００ｂ、４００ｇは、第二の測距視野でのみ焦点検出が可能であるとする。この場合、被写体位置検出手段により隣接する測距視野の第一の焦点検出手段と組み合わせた焦点検出方法は行えないものとする。すなわち、観察者が第一のモードを選択した場合、図９（ａ）の実線の四角いマークの測距視野４００ａ、４００ｄ、４００ｅ、４００ｉ、４００ｊが選択可能となる。また観察者が第二のモードを選択した場合、図９（ｂ）における実線の四角いマークの測距視野４００ａ、４００ｃ〜４００ｆ、４００ｈ〜４００ｋが選択可能となる。観察者が第三のモードを選択した場合、図８（ａ）に示される全ての測距視野４００ａ〜４００ｋが選択可能となる。
【００６９】
以上、本発明の実施例について具体的に説明した。ただし、本発明は上記実施例として記載された事項に限定されるものではなく、本発明の技術思想を逸脱しない範囲内で適宜変更が可能である。
【符号の説明】
【００７０】
１０１    撮影レンズ
１１０    位相差焦点検出装置
１１４    高周波信号抽出部
１１５    信号評価部
１１７    相関演算部
１１８    ピント制御部
【図６】
2011242666.tif 000006
【図７】
2011242666.tif 000007
【図１】
2011242666.tif 000008
【図２】
2011242666.tif 000009
【図３】
2011242666.tif 000010
【図４】
2011242666.tif 000011
【図５】
2011242666.tif 000012
【図８】
2011242666.tif 000013
【図９】
2011242666.tif 000014
【図１０】
2011242666.tif 000015